(57)【特許請求の範囲】
【請求項１】
耕耘爪が固設された耕耘軸の上方及び後方を、ロータリカバー及びその後方のリヤカバーにて覆ったロータリのリヤカバー装置において、
前記ロータリカバーは、前記耕耘軸の上方を覆う天板と前記耕耘軸の軸方向側端部を覆う左右側面板とを有し、
前記天板と前記リヤカバーとの前後中間に中間カバーを設け、前記ロータリカバーと中間カバー、及び該中間カバーとリヤカバーのそれぞれを回動自在に軸支すると共に、
前記左右側面板に固定され前記中間カバーの前部を軸支する軸金と、前記中間カバーの後部に出没自在に設けられた係合ピンと、該係合ピンとの対向位置が目視可能に前記左右側面板に突出形成されて該係合ピンが係合しうる複数の孔と、前記中間カバー側に設けられ前記係合ピンの抜差し操作と該係合ピンを前記孔から抜いた状態で前記中間カバーの上下位置を移動しうるハンドルと、を有し、
前記ハンドルにて前記係合ピンを前記複数の孔のいずれかに選択的に挿抜することで、前記ロータリカバーに対し、前記中間カバーと前記リヤカバーとを連結する回動支点を、選択的に上下に移動可能にした、
ことを特徴とするロータリのリヤカバー装置。
【請求項２】
前記中間カバーの上面に、リヤカバーに対する加圧力調整ブラケットを設けてなる、請求項１記載のロータリのリヤカバー装置。
【発明の詳細な説明】
【０００１】
【発明の属する技術分野】
本発明は、農業用作業車の後方に装着するロータリ耕耘装置に係り、詳しくはロータリカバーの後部に装着されたロータリのリヤカバー装置に関する。
【０００２】
【従来の技術】
従来、ロータリカバーの後部にロータリのリヤカバーを装着する際、中間カバーを介することなく、ロータリカバーの後端に直接リヤカバーの回動支点を設けたものは、既に知られている。
【０００３】
【発明が解決しようとする課題】
既に知られている、ロータリカバーの後端に直接リヤカバーの回動支点を設けたものでは、リヤカバーの回動支点を前後方向、上下方向それぞれ単独に回動するため、リヤカバーの位置が、一般耕耘作業及び代掻作業には適応出来ても、畦立器やマルチ整形器装着作業時のように、リヤカバーの位置を極度に上方位置に保持することは出来なかった。
【０００４】
そこで、本発明は、リヤカバーの位置を、一般耕耘作業及び代掻作業のみならず、畦立器やマルチ整形器装着作業時にも最適位置を保持出来ることを目的とする。
【０００５】
【課題を解決するための手段】
本発明は、上述事情に鑑みなされたものであって、請求項１に係る発明は、耕耘爪が固設された耕耘軸（１２）の上方及び後方を、ロータリカバー（１４）及びその後方のリヤカバー（１７）にて覆ったロータリのリヤカバー装置において、
前記ロータリカバー（１４）は、前記耕耘軸（１２）の上方を覆う天板（１４ａ）と前記耕耘軸（１２）の軸方向側端部を覆う左右側面板（１４ｄ，１４ｄ）とを有し、
前記天板（１４ａ）と前記リヤカバー（１７）との前後中間に中間カバー（１６）を設け、前記ロータリカバー（１４）と中間カバー（１６）、及び該中間カバー（１６）とリヤカバー（１７）のそれぞれを回動自在に軸支すると共に、
前記左右側面板（１４ｄ，１４ｄ）に固定され前記中間カバー（１６）の前部を軸支する軸金（２１）と、前記中間カバー（１６）の後部に出没自在に設けられた係合ピン（２３）と、該係合ピン（２３）との対向位置が目視可能に前記左右側面板（１４ｄ，１４ｄ）に突出形成されて該係合ピン（２３）が係合しうる複数の孔（２７，２８）と、前記中間カバー（１６）側に設けられ前記係合ピン（２３）の抜差し操作と該係合ピン（２３）を前記孔から抜いた状態で前記中間カバー（１６）の上下位置を移動しうるハンドル（２２）と、を有し、
前記ハンドル（２２）にて前記係合ピン（２３）を前記複数の孔（２７，２８）のいずれかに選択的に挿抜することで、前記ロータリカバー（１４）に対し、前記中間カバー（１６）と前記リヤカバー（１７）とを連結する回動支点を、選択的に上下に移動可能にした、ことを特徴とする。
また、請求項２に係る発明は、請求項１記載のロータリのリヤカバー装置において、前記中間カバー（１６）の上面に、リヤカバー（１７）に対する加圧力調整ブラケット（２５）を設けてなることを特徴とする。
【０００６】
（作用）
上記構造により、一般耕耘作業及び代掻作業時には、中間カバー（１６）とリヤカバー（１７）の回動支点を選択的に下方位置（２８）に選択固定し、畦立器やマルチ整形器装着作業時には、中間カバー（１６）とリヤカバー（１７）の回動支点を選択的に上方位置（２７）に選択固定することにより、あらゆる作業に最適のリヤカバー（１７）位置を確保出来るようになった。
【０００７】
また、中間カバー（１６）とリヤカバー（１７）の回動支点を最適位置に選択固定した状態で、リヤカバー（１７）の角度が変化しても、前記中間カバー（１６）の上面に加圧力調整ブラケット（２５）が設けられているため、対地加圧力は常に一定に保持することが出来るので、加圧力を調整する必要がなくなった。
【０００８】
なお、上述カッコ内の符号は、図面と対照するものであるが、何ら本発明の構成を限定するものではない。
【０００９】
【発明の実施の形態】
以下、図面に沿って、本発明の実施の形態例について説明する。
【００１０】
図１〜図３において、トラクタ１の後方に３点リンク、オートヒッチ２を介して昇降自在にロータリ３が装着されている。
【００１１】
ロータリ３の中央部にギヤケース５を設け、ギヤケース５の上部にはブーメラン形状のトップマスト４が固設され、トップマスト４の前方上部は、連結部を介して前記オートヒッチ２に連結し、トップマスト４の後方上部には、尾輪や畦立器を装着するための、ツールバー６を調節するネジ式の調節装置７を軸支している。
【００１２】
前記ギヤケース５の両側面に、図４に示すように、左右一対のアーム８，９を固設し、その左端にはチェンケース１０を固設し、右端にはコの字形のサイドプレート１１を固定している。
【００１３】
複数本の耕耘爪を固設した耕耘軸１２は、前記チェンケース１０下部の駆動側軸受部と、サイドプレート１１下部に固設した受動側軸受ブラケット１３に支持され、チェンケース１０内の伝動装置によって駆動されている。
【００１４】
ロータリカバー１４は、図１〜図３及び図４に示すように、耕耘軸１２の上方を覆う円弧状の天板１４ａ、該天板１４ａの前後端部の補強プレート（図示せず）、および左右両側面にほぼ扇形をした左右側面板としての側板１４ｄ，１４ｄからなり、該側板１４ｄ，１４ｄは耕耘軸１２の軸方向側端部を覆っている。
【００１５】
側板１４ｄ下部の扇の要に相当する部分に、前記耕耘軸１２両端の軸受部に外嵌するメタル１５が、前後回動自在に設けられている。
【００１６】
ロータリカバー１４の後端部、すなわち上述した天板１４ａと後述するリヤカバー１７との前後中間位置には、袋状の断面の中間カバー１６が回動自在に枢着され、該中間カバー１６の後端部にはリヤカバー１７が回動自在に枢着されている。これにより、ロータリカバー１４と中間カバー１６、及び該中間カバー１６とリヤカバー１７のそれぞれは回動自在に軸支されていることになる。
【００１７】
トップマスト４に設けた操作レバー１８を前後に回動することによって、ブラケット１９及びロッド２０を介してロータリカバー１４と中間カバー１６、及びリヤカバー１７は耕耘軸１２の回りに一体的に前後に回動可能となっている。
【００１８】
中間カバー１６は、図５及び図６に示すように、その前部を前記左右両側板１４ｄに固設された軸金２１によって軸支され、その後部両端には出没自在な係合ピンとしてのロックピン２３が設けられている。また、左右両側板１４ｄ，１４ｄには、ロックピン２３との対向位置が目視可能に上孔２７及び下孔２８が内側に向けて突出形成（突出座）されていて、この上孔２７又は下孔２８にロックピン２３が係合し得るようになっている。更に、中間カバー１６側には、ロックピン２３の抜差し操作と該ロックピン２３を上孔２７又は下孔２８から抜いた状態で中間カバー１６の上下位置を移動しうるハンドル２２が設けられている。そして、ハンドル２２を操作してロックピン２３を側板１４ｄ上部に設けた上孔２７又は下孔２８に選択固定して、中間カバー１６の上下位置を移動する。
【００１９】
また、中間カバー１６の上面２箇所に、加圧力調整ブラケット２５を固設してロッド２４を介し、リヤカバー１７を保持している。
【００２０】
次に本実施の形態例の作用について説明する。
【００２１】
上記構造に基づき、操作レバー１８を前に回動させることにより、ロータリカバー１４が、一体的に耕耘軸１２の回りに前に回動し、一般耕耘作業姿勢になり、リヤカバー１７下の懐部が狭くなり土の持ち回りが多くなるので、耕耘後の仕上りが均平になる。
【００２２】
ロータリカバー１４を前に回動したまま、ハンドル２２を操作して、ロックピン２３を側板１４ｄの上孔２７にセットし、中間カバー１６を上方に回動させた位置に選択固定すると、リヤカバー１７下の懐部が広くなり、土が後方にはけやすくなり、畦立器やマルチ整形器装着作業あるいは畑での深い耕耘作業に適した姿勢が得られる。
【００２３】
また、操作レバー１８を後に回動させることにより、ロータリカバー１４が、一体的に耕耘軸１２の回りに後に回動し、ハンドル２２を操作して、ロックピン２３を側板１４ｄの下孔２８にセットし、中間カバー１６を下方に回動させると、リヤカバー１７が下方まで覆い、代掻や極浅い耕耘作業に適した姿勢が得られる。
【００２４】
上記いずれの場合も、リヤカバー１７はロッド２４を介して中間カバー１６に連結され、中間カバー１６と一体に回動するので、リヤカバー１７に対する加圧力は常に一定になり、リヤカバー１７の角度変更の都度、加圧力を調整する必要はない。
【００２５】
【発明の効果】
本発明は、耕耘軸を覆うロータリカバーの天板とリヤカバーとの前後中間に中間カバーを設け、ロータリカバーと中間カバー、及び中間カバーとリヤカバーのそれぞれを回動自在に軸支すると共に、左右側面板に固定され前記中間カバーの前部を軸支する軸金と、前記中間カバーの後部に出没自在に設けられた係合ピンと、該係合ピンとの対向位置が目視可能に前記左右側面板に突出形成されて該係合ピンが係合しうる複数の孔と、前記中間カバー側に設けられ前記係合ピンの抜差し操作と該係合ピンを前記孔から抜いた状態で前記中間カバーの上下位置を移動しうるハンドルと、を有し、前記ハンドルにて前記係合ピンを前記複数の孔のいずれかに選択的に挿抜することで、前記ロータリカバーに対し、前記中間カバーと前記リヤカバーとを連結する回動支点を、選択的に上下に移動可能にし、かつ、前記中間カバーの上面に、リヤカバーに対する加圧力調整ブラケットを設けてなるように構成したので、リヤカバーの位置を、一般耕耘作業及び代掻作業のみならず、畦立器やマルチ整形器装着作業時にも最適位置を保持出来、かつ、リヤカバーの角度変更の都度、加圧力を調整する必要がなくなった。
【図面の簡単な説明】
【図１】一般耕耘作業時のトラクタとロータリの側面図である。
【図２】畦立器作業時のトラクタとロータリの側面図である。
【図３】代掻作業時のトラクタとロータリの側面図である。
【図４】ロータリの後面視である。
【図５】中間カバーの回動支点の一部拡大図である。
【図６】中間カバーの回動支点の斜視図である。
【符号の説明】
１        トラクタ
３        ロータリ
１２      耕耘軸
１４      ロータリカバー
１６      中間カバー
１７      リヤカバー
２７      上孔
２８      下孔
【図１】
0003560784.tif 000002
【図２】
0003560784.tif 000003
【図３】
0003560784.tif 000004
【図４】
0003560784.tif 000005
【図５】
0003560784.tif 000006
【図６】
0003560784.tif 000007